(57)【特許請求の範囲】
【請求項１】
背負いバッグ本体に一対の肩ベルトが設けられた背負いバッグであって、
前記各肩ベルトに非膨張状態で収容されると共に気体を供給することで膨張する浮力部と、
この浮力部に気体を供給するガスボンベが取り付けられるガス供給口と、
このガス供給口に取り付けられるガスボンベを開栓してその気体を供給させる開栓手段と
を備え、
前記背負いバッグ本体は、
前記背負いバッグ本体の内部に水を取り込むための水取込部と、
前記水取込部を覆う網状ポケットと
を有している
ことを特徴とする背負いバッグ。
【請求項２】
前記肩ベルトが、前記背負いバッグ本体に着脱自在に取り付けられたものである
ことを特徴とする請求項１記載の背負いバッグ。  
【発明の詳細な説明】
【技術分野】
【０００１】
本発明は、一対の肩ベルトが設けられた背負いバッグに関する。
【背景技術】
【０００２】
従来、一対の肩ベルトが設けられた背負いバッグが知られている（例えば特許文献１参照）。この特許文献１記載の背負いバッグは、本体と、この本体に設けられた一対の肩ベルトとを備えている。この背負いバッグは、本体内部に物を収納した状態で、ユーザーに背負われるよう構成されており、具体的には肩ベルトと本体との間に、ユーザーの腕・肩が通されて装着される。
【先行技術文献】
【特許文献】
【０００３】
【特許文献１】特開２００２−４５２３３号公報
【発明の概要】
【発明が解決しようとする課題】
【０００４】
ここでこの背負いバッグは、本体内に幾つかの物を収容でき、しかも肩と背中とに密着した状態で装着されるため、たくさんの物を楽に運ぶことができる。ところが、仮に、たくさんの物を収容した背負いバッグを背負ったユーザーが、川や海に落下等して水没してしまうような場合、収納物が重くて危険となる場合がある。
【０００５】
本発明は、上記事情に鑑みてなされたものであり、その目的とするところは、ユーザーが背負ったまま水没するような場合であっても、溺れる危険を回避することができる背負いバッグを提供することにある。
【課題を解決するための手段】
【０００６】
本発明は、背負いバッグ本体１に一対の肩ベルト３が設けられた背負いバッグであって、前記各肩ベルト３に非膨張状態で収容されると共に気体を供給することで膨張する浮力部３１と、この浮力部３１に気体を供給するガスボンベ５が取り付けられるガス供給口４２と、このガス供給口４２に取り付けられるガスボンベ５を開栓してその気体を供給させる開栓手段４３とを備えていることを特徴とする。
【０００７】
このような構成の本発明の背負いバッグは、ガスボンベ５がガス供給口４２に装着された状態で、開栓手段４３が作動すると、ガスボンベ５から浮力部３１に向けてガスが供給され、浮力部３１が膨張する。これにより、例えば、この背負いバッグを背負ったユーザーは、水没しそうになった場合に、開栓手段４３が作動して肩ベルト３に収容された浮力部３１が膨張し、この膨張した浮力部３１が水に浮くため、溺れる危険を回避することができる。
【０００８】
またこの背負いバッグにおいて、前記背負いバッグ本体１が、内部に水を取り込むための水取込部１７を有していることが好ましい。
【０００９】
このような構成によれば、使用者が水没した際に、水取込部１７を通して背負いバッグ本体１内に水を取り込むことができる。これにより、使用者が水没した際に、浮力部３１が膨張したとしても、使用者の顔を空気中に位置させることができる。
【００１０】
またこの背負いバッグにおいて、前記背負いバッグ本体１が網状ポケット１８を有しており、この網状ポケット１８により前記水取込部１７が覆われていることが好ましい。
【００１１】
このような構成によれば、背負いバッグ本体１に水取込部１７が設けられていても目立たないようにでき、それでいて、背負いバッグ本体１内に水を流入させることができる。
【００１２】
またこの背負いバッグにおいて、前記肩ベルト３が、背負いバッグ本体１に着脱自在に取り付けられたものであることが好ましい。
【００１３】
このような構成によれば、開栓手段４３が作動して浮力部３１が膨張した使用後に、別の肩ベルト３に容易に交換することができる。すなわち、膨張作動後は肩ベルト３だけを簡単に交換することができるから、背負いバッグ本体１を長く使用し続けながら肩ベルト３だけを新しいものと交換することも可能である。これにより例えば、緊急時やあるいは誤操作等で浮力部３１を膨張させた場合であっても、肩ベルト３だけを交換して、再度使用するようなことが可能となる。
【発明の効果】
【００１４】
本発明の背負いバッグによれば、ユーザーが背負ったまま水没した場合であっても、溺れる危険を回避することができる。
【図面の簡単な説明】
【００１５】
【図１】本発明の実施形態の背負いバッグであり、（ａ）は斜視図であり（ｂ）は水取込部の要部断面図である。
【図２】上記実施形態の背負いバッグの別の角度からの斜視図である。
【図３】上記実施形態の背負いバッグの肩ベルトを取り外した状態の斜視図である。
【図４】上記実施形態の背負いバッグの肩ベルトが拡開状態にある斜視図である。
【図５】上記実施形態の背負いバッグの作動部にガスボンベが取り付けられた状態の説明図である。
【図６】上記実施形態の背負いバッグの浮力部が膨張した状態の正面図である。
【図７】上記実施形態の背負いバッグの通常の肩ベルトを装着する直前の分解斜視図である。
【図８】（ａ）は本実施形態の背負いバッグの浮力部が膨張した状態の図であり（ｂ）は、参考例の浮力部が膨張した状態の図である。
【発明を実施するための形態】
【００１６】
以下、本発明の実施形態について添付図面に基づいて説明する。
【００１７】
本実施形態の背負いバッグは、図１に示されるように、背負いバッグ本体１と、一対の肩ベルト３とを備えている。背負いバッグ本体１は、内部に物を収容可能となっている。一対の肩ベルト３は、背負いバッグ本体１に設けられている。本実施形態の背負いバッグは、リュックサックにより構成されている。
【００１８】
背負いバッグ本体１は、水不透過性の素地により形成されている。水不透過性の素地は背負いバッグ本体１内への水の通過を阻止する。水不透過性の素地は柔軟性を有する。水不透過性の素地は、例えば、ナイロン，ポリ塩化ビニル等が挙げられる。これにより背負いバッグ本体１は防水性を有する。背負いバッグ本体１は袋状に形成されている。
【００１９】
背負いバッグ本体１は、図２に示されるように、第１収納部１１及び第２収納部１２を備えている。第１収納部１１及び第２収納部１２は、上方に開口している。第１収納部１１と第２収納部１２とは、前後に並設されている。第１収納部１１と第２収納部１２とは、背負いバッグ本体１の内部で区画されている。言い換えると、第１収納部１１と第２収納部１２とは、内部で互いに繋がっていない。第１収納部１１及び第２収納部１２の上方の開口には、ファスナー部１４が設けられている。ファスナー部１４は、対向する開口縁同士を連結する。ファスナー部１４はランナー１５を備えている。ランナー１５を開口に沿って移動させることで、第１収納部１１及び第２収納部１２の開口は、開いたり閉じたりする。なお、ランナー１５は２つ設けられている。ファスナー部１４が閉じると、ランナー１５の突き合わされた部分には、僅かな隙間が形成される。
【００２０】
背負いバッグ本体１は第３収納部１３を有している。第３収納部１３は、背負いバッグ本体１の左右両側面部に設けられている。第３収納部１３は、網状ポケット１８により構成されている。網状ポケット１８は上方に開口している。網状ポケット１８は網状体１９を有している。網状体１９の外縁は、上方を除いた部分において背負いバッグ本体１の外側面に縫合されている。網状体１９は水を透過する。言い換えると網状ポケット１８は水を透過する。この網状ポケット１８には、例えば、小型のペットボトルや水筒等が収容される。
【００２１】
本実施形態の背負いバッグは、図３に示されるように、連結部２を有している。ここで、背負いバッグ本体１は背面部１６を有している。背面部１６は、ユーザーの背中に当接する。連結部２は、肩ベルト３を着脱自在に装着するために取り付けられている。連結部２は、背面部１６と肩ベルト３との間に介装されている。連結部２は、第１の連結体２１と、第２の連結体２２と、第３の連結体２３と、第４の連結体２４とを備えている。第１の連結体２１は、一対設けられている。第１の連結体２１は、背面部１６上部に固着されている。第１の連結体２１は左右方向に離間している。第２の連結体２２は、肩ベルト３の上端部に固着されている。第２の連結体２２は、第１の連結体２１に着脱自在に保持される。第３の連結体２３は一対設けられている。第３の連結体２３は、背面部１６下部に固着されている。第３の連結体２３は左右方向に離間している。第４の連結体２４は、肩ベルト３の下端部に固着されている。第４の連結体２４は、第３の連結体２３に着脱自在に保持される。本実施形態の連結部２は、例えば射出成形や注型成形などで樹脂成形される。
【００２２】
肩ベルト３は、背負いバッグ本体１の背面部１６に、連結部２を介して着脱自在に取り付けられている。肩ベルト３は、その厚み内に浮力部３１が内設されている。肩ベルト３の浮力部３１は、水中に浸かると膨張して浮き袋として機能する。これによりこの肩ベルト３は、背負いバッグを装着したユーザーに浮力を与える。
【００２３】
肩ベルト３は、図４に示されるように、浮力部３１と、作動部４とを備えている。浮力部３１は、肩ベルト３に非膨張状態で収容される。作動部４は、装着されたガスボンベ５を作動させて浮力部３１にガスを供給させる。
【００２４】
肩ベルト３は、拡開状態と通常状態との間で変形する。通常状態とは、肩ベルト３が細く折り畳まれた帯状の状態（図１参照）として定義される。拡開状態とは、通常状態の肩ベルト３が開かれた状態（図４参照）として定義される。肩ベルト３は、胸前部３３と、首部３４とを備えている。胸前部３３は、上下方向に長さを有している。胸前部３３は左右一対設けられている。胸前部３３は、互いに平行している。首部３４は、胸前部３３の上端同士を連結する。首部３４は、人が装着すると、その人の首の後部に位置する。肩ベルト３は、下向き略Ｕ字状となっている。
【００２５】
拡開状態の肩ベルト３は、図４に示されるように、内皮体３５と、外皮体３６とを備えている。内皮体３５と外皮体３６とは積層されている。内皮体３５と外皮体３６とは、外周縁部同士が溶着されている。内皮体３５は、拡開状態では外皮体３６よりも前方に位置する。内皮体３５は、通常状態では、肩ベルト３の厚み内（内側）に位置する。外皮体３６は、拡開状態では内皮体３５よりも後方側に位置する。外皮体３６は、通常状態では、肩ベルト３の外側に位置する。
【００２６】
通常状態において、肩ベルト３の胸前部３３は、拡開状態の胸前部３３の幅方向の両端を各胸前部３３の幅中央側に折り畳まれる。そして幅方向の両縁部分が面ファスナー３７で止着される。また、通常状態において、肩ベルト３の首部３４は、拡開状態の首部３４上端が下方に折り返される。そして、その上端と下端の両縁部分が面ファスナー３７で止着される。
【００２７】
また肩ベルト３には、図３に示されるように、支持ベルト３９が設けられている。支持ベルト３９は、ユーザーの背中側に位置する。この支持ベルト３９は、胸前部３３との間で腕や肩を通す部分を形成する。支持ベルト３９は、首部３４と両胸前部３３の下端部とを繋ぎ、逆Ｔ字状となっている。
【００２８】
浮力部３１は、内皮体３５と外皮体３６との間に収容されている。浮力部３１は、ガスボンベ５から供給された気体を気体流入口（図示せず）を介して内部に取り込むことにより膨張する。本実施形態の浮力部３１は、浮き袋体３１０により構成されている。浮き袋体３１０は、非膨張状態で内皮体３５と外皮体３６とに積層されている。浮き袋体３１０は、内皮体３５及び外皮体３６と共に折り畳まれる。これにより浮き袋体３１０は、通常状態の肩ベルト３の厚み内に収容配置されている。
【００２９】
作動部４は、装着されたガスボンベ５を作動させて浮力部３１に空気を供給させるよう構成されている。作動部４は、水没すると水を検知して、自動的にガスボンベ５を開栓する。また作動部４は、手動操作部４１を有している。手動操作部４１は、使用者が手動で強制的にガスボンベ５を開栓できるよう構成されている。言い換えると、手動操作部４１は、水没したか否かに拘らず、浮力部３１を動作させることができる。
【００３０】
作動部４は、図４に示されるように、一対の肩ベルト３のうちの一方の胸前部３３に設けられている。作動部４は、肩ベルト３の厚み内に設けられている。本実施形態の作動部４は、肩ベルト３が拡開状態では、カバー３８により覆われている。
【００３１】
作動部４は、図５に示されるように、ガス供給口４２と、開栓手段４３と、手動操作部４１と、ガス吹き出し口４４とを備えている。ガス供給口４２は、小型のガスボンベ５を取付け可能となっている。開栓手段４３は、ガス供給口４２に装着されたガスボンベ５を開栓して気体の供給を開始させる。ガス吹き出し口４４は、ガスボンベ５の長手方向とは直交する方向に向けて開口する。ガス吹き出し口４４は、ガス供給口４２に連通している。作動部４は、このガス吹き出し口４４が浮力部３１の気体流入口に連通した状態で、内皮体３５に固着されている。
【００３２】
開栓手段４３は、図５に示されるように、作動部本体４５により主体が構成されている。作動部本体４５は筒状に形成されている。作動部本体４５は、一端側にガス供給口４２を有している。開栓手段４３は、針部（図示せず）と、押圧体４６と、付勢体４７と、キャップ体４８とを備えている。針部は、作動部本体４５の内部に設けられている。針部は、筒軸方向にスライド移動自在となっている。押圧体４６は、針部をガスボンベ５側に押圧し、これにより、ガスボンベ５の栓部に穿孔して開栓する。付勢体４７は、押圧体４６をガスボンベ５側に向けて付勢する。付勢体４７は、例えばコイルばねにより構成されている。キャップ体４８は、付勢体４７を内部に収容する。キャップ体４８は、作動部本体４５に装着される。
【００３３】
また開栓手段４３は、支持体４９を有している。支持体４９は、水に浸漬されると溶解する。支持体４９は、作動部本体４５のガス供給口４２とは反対側の開口部に固定されている。この支持体４９は、針部と押圧体４６との間に介装されており、これにより針部に対する押圧体４６の付勢力を遮断する。
【００３４】
作動部４のガス供給口４２にガスボンベ５が装着された状態で、この作動部４を水没させると、支持体４９が水に溶解する。すると、付勢体４７により押圧されている針部は、支持体４９による移動規制が解除され、当該付勢力に従ってガスボンベ５側に移動し、当該ガスボンベ５の長手方向の一端に設けられた栓部を開栓する。
【００３５】
開栓したガスボンベ５は、内部に高圧封入された気体を噴出し、ガス供給口４２・ガス吹き出し口４４・内皮体３５に穿設された気体流入口を介して、浮力部３１に気体を供給する。
【００３６】
この後、気体が供給された浮力部３１は、図６に示されるように、胸前部３３及び首部３４に気体が充填される。これにより、浮力部３１はユーザーの上半身を覆うようにして膨張する。このとき、浮力部３１は、膨張してゆくにつれて、肩ベルト３において折り畳んだ状態で止着した面ファスナー３７を引き剥がしながら膨張してゆき、目一杯膨張する。そして本実施形態の背負いバッグは、浮力部３１がユーザーの胸前に広がると共に首後を支持し、一方、背負いバッグ本体１がユーザーの背中側に位置するようになっており、ユーザーの顔が水面上に出るよう水上でバランスする。
【００３７】
ところで、このような背負いバッグにおいては、浮力部３１が膨張して水に浮いた際、次の問題が懸念される。使用者が水没し、浮力部３１が膨張した時には、背負いバッグ本体１内にも空気が入っている。このとき、浮力部３１と背負いバッグ本体１とにより浮力が生じる。したがって、浮力部３１と背負いバッグ本体１との浮力により、図８（ｂ）に示すように、胸前部３３側が水中側を向いてしまう。これにより、使用者の顔が水中に水没してしまうという問題が考えられる。
【００３８】
この問題を解消するために本実施形態の背負いバッグは、図１に示されるように、水取込部１７を有している。水取込部１７は、背負いバッグ本体１の内部に水を取り込む。より具体的に言うと、水取込部１７は、背負いバッグ本体１の内外を連通する。水取込部１７は、例えば、内外を貫通する貫通孔であってもよいし、背負いバッグ本体１内に水を取り込むために水を透過する素材により構成されていてもよい。
【００３９】
水取込部１７は、複数箇所に設けられている。詳しく説明すると、水取込部１７は、背負いバッグ本体１の両側の側方に設けられている。水取込部１７は、第３収納部１３の網状体１９により覆われている。言い換えると水取込部１７は、網状ポケット１８により覆われている。
【００４０】
本実施形態の背負いバッグを装着した使用者が水没すると、浮力部３１が膨張し始める。またこの水没と同時に、水取込部１７を通して、背負いバッグ本体１内に水が取り込まれる。すると、背負いバッグ本体１内の空気が、第１収納部１１及び第２収納部１２の開口を閉じるファスナーのランナー間の隙間から追い出される。そして次第に、背負いバッグ本体１内に水が充満する。これにより、背負いバッグ本体１に生じる浮力を低減することができる。この結果、図８に示すように、浮力部３１が膨張した場合には、背負いバッグ本体１側を水中側に位置させることができ、使用者の顔を空気中に露出させることができる。
【００４１】
その上、背負いバッグ本体１は、水不透過性の素地により形成されているため、普段の使用時においては、内部の収容物に対して、防水効果を発揮することができる。一般的には、背負いバッグ本体１が水不透過性の素地により形成されていると、水没時に背負いバッグ本体１内に水が流入しにくいため、背負いバッグ本体１側が沈みにくい。この点につき、本実施形態の背負いバッグは、背負いバッグ本体１に水取込部１７が設けられているため、背負いバッグ本体１を効果的に沈ませることができる。すなわち、本実施形態の背負いバッグは、普段の使用時においては、収容物を水等から保護することができ、それでいて、水没時には、背負いバッグ本体１側を水中側に位置させることができる。
【００４２】
しかも、水取込部１７は、第３収納部１３の網状体１９により覆われている。言い換えると水取込部１７は、網状ポケット１８により覆われている。これにより、水取込部１７を目立たなくすることができる。これにより背負いバッグの意匠性を向上させることもできる。しかも、網状ポケット１８は水を透過するため、網状ポケット１８により水取込部１７が覆われていても、確実に水を背負いバッグ本体１内に流入させることができる。
【００４３】
また手動操作部４１は、作動部本体４５に設けられており、ユーザーが操作することで強制的にガスボンベ５を開栓するものである。本実施形態の手動操作部４１は、その端部が肩ベルト３の下端部から露出する紐部４１０により構成されており、ユーザーが紐部４１０を引っ張ることで作動部４の針部をガスボンベ５側にスライド移動させ、当該ガスボンベ５を開栓するよう構成されている。
【００４４】
肩ベルト３は、図１に示されるように、胸前部３３の下端部同士を連結する接続部６を有している。本実施形態の接続部６は、着脱自在なバックル部６１を介して連結されている。接続部６は、肩ベルト３が膨張した状態でも、ユーザーの身体から背負いバッグが外れるのを防止する。
【００４５】
ところで肩ベルト３は、図４に示されるように、内皮体３５に取り付けられた吹き込みパイプ７０を有している。この吹き込みパイプ７０は、肩ベルト３に沿って上方に向けて突出しており、浮力部３１に連通接続されている。吹き込みパイプ７０は、ユーザーが咥えて浮力部３１に空気を吹き込むことができるよう構成されている。また、吹き込みパイプ７０は、外部から浮力部３１に向けた気体の流通を許容し且つその逆を阻止する逆止弁（図示せず）が設けられている。吹き込みパイプ７０は、ガスボンベ５からのガスにより膨張した浮力部３１が十分に膨張しきれていない場合等に、ユーザーが追加的に空気を吹き込んで、完全に膨張させること等に使用される。
【００４６】
また肩ベルト３は、内皮体３５に反射部７１が取り付けられており、当該反射部７１が拡開状態で露出する。さらに肩ベルト３は、内皮体３５のポケットに笛７２が収容されている。
【００４７】
なおガスボンベ５は、その内部に、二酸化炭素などの不活性ガスが封入されている。この不活性ガスとしては、二酸化炭素に替えて、ヘリウムガスであってもよいし、炭素や酸素等の不活性ガスであってもよい。
【００４８】
このような構成の背負いバッグは、背負いバッグ本体１に取り付けられた肩ベルト３が、ユーザーの肩に掛けられ、背負いバッグ本体１の背面部１６が、ユーザーの背中に密着した状態で装着される。本実施形態の背負いバッグを背負ったユーザーは、河川や海に誤って落ちたり、津波にさらわれたりして水中に没入してしまった場合であっても、肩ベルト３が水に浸ることで浮力部３１が膨張し、この結果、背負いバッグの肩ベルト３が浮き袋として作用するため、溺れるのを防ぐことができる。
【００４９】
しかも本実施形態の背負いバッグは、肩ベルト３が、背負いバッグ本体１に対し着脱自在となっているため、開栓手段４３が作動して浮力部３１が膨張した使用後に、別の肩ベルト３に交換することができる。すなわち、膨張作動後は肩ベルト３だけを簡単に交換することができるから、背負いバッグ本体１を長く使用し続けながら肩ベルト３だけを新しいものと交換することも可能である。これにより例えば、緊急時やあるいは誤操作等で浮力部３１を膨張させた場合であっても、肩ベルト３だけを交換して、再度使用するようなことが可能となる。
【００５０】
そのうえ、仮に背負いバッグ内に、重量が大きな収容物を収容していた場合には、肩ベルト３の浮力部３１の浮力に対して、重量が大きくなり過ぎて、ユーザーに働く浮力が弱くなることも起こり得る。ところが、本実施形態の背負いバッグは、肩ベルト３が、背負いバッグ本体１に対し着脱自在となっているため、その場合、背負いバッグ本体１を肩ベルト３から切り離すことができる。切り離された肩ベルト３は、首部３４と支持部３９とでユーザーを保持する。これにより、ユーザーはより安心して背負いバッグを使用することも可能となる。
【００５１】
また、本実施形態の背負いバッグは、図７に示されるように、浮力部３１を有していない通常の肩ベルト８に取り替えることも可能である。これによりユーザーは、例えば、河川や海等のない場所にて使用する場合には、通常の肩ベルト８を使用し、河川や海等のある場所にて使用する場合には、浮力部３１を有する肩ベルト３を使用するなどして、状況に応じて使い分けることも可能であり、使い勝手が向上する。
【００５２】
なお、本実施形態の背負いバッグは、リュックサックにより構成されていたが、本発明においては、背中に背負って使用するバッグにおいて、一対の肩ベルトを有していればよく、例えば、ナップザックやランドセルであってもよい。
【００５３】
また開栓手段４３の機構は、上記実施形態の構造に限定されない。
【符号の説明】
【００５４】
１      背負いバッグ本体
１６    背面部
１７    水取込部
１８    網状ポケット
１９    網状体
２      連結部
３      肩ベルト
３１    浮力部
３１０  浮き袋体
３３    胸前部
３４    首部
４      作動部
４１    手動操作部
４２    ガス供給口
４３    開栓手段
５      ガスボンベ
６      接続部
６１    バックル部
【図１】
0005961014.tif 000002
【図２】
0005961014.tif 000003
【図３】
0005961014.tif 000004
【図４】
0005961014.tif 000005
【図５】
0005961014.tif 000006
【図６】
0005961014.tif 000007
【図７】
0005961014.tif 000008
【図８】
0005961014.tif 000009